(57)【要約】      （修正有）【課題】電圧衝撃による損傷を防止する。【解決手段】ナビゲーション装置は内部の装着空間３０と連通する装着口１６が一側方向に形成されて装着空間の内側最下端にはコネクターが設けられるケースと、ケースの装着口を通じて装着空間にスライディング挿入されて端子２２らが装着完了時点でケース内のコネクターと接続されるハードディスク２０と、ハードディスクの着脱動作を感知してハードディスクの脱去に先立って電源を遮断する一方、ハードディスクの装着後に電源を供給する電源断続手段と、を含む。【選択図】図３
2008016167.tif 000002
【特許請求の範囲】
【請求項１】
内部の装着空間と連通する装着口が一側方向に形成されて、前記装着空間の内側最下端にはコネクターが設けられるケースと、
前記ケースの装着口を通じて前記装着空間にスライディング挿入されて、端子らが装着完了時点で前記ケース内の前記コネクターと接続されるハードディスクと、及び
前記ハードディスクの着脱動作を感知して前記ハードディスクの脱去に先立って電源を遮断する一方、前記ハードディスクの装着後に電源を供給する電源断続手段と、を含むことを特徴とする着脱式ハードディスクを有する携帯用電子機器。
【請求項２】
前記装着口で露出する前記ハードディスクの前方側に装着されて、その前面に取っ手が設けられたディスクカバーをさらに含むことを特徴とする請求項１に記載の着脱式ハードディスクを有する携帯用電子機器。
【請求項３】
前記ディスクカバーには前記ハードディスクの装着完了時点で前記ケースの装着空間内に進入される係止フックが具備されて、前記ケースの装着口と隣接した前記装着空間を形成する内壁には前記係止フックが挿入されてかかる係止溝が形成されていることを特徴とする請求項２に記載の着脱式ハードディスクを有する携帯用電子機器。
【請求項４】
前記ケースのリアケースには前記装着口と隣接して前記リアケースの板面と平行に形成されて、前記ハードディスクの内面を支持する内側支持板部と、該内側支持板部から下方に前記ハードディスクの装着方向に沿って形成される左右一対で前記ハードディスクの幅よりすこし大きく離隔されて、前記ハードディスクの両側面を支持する左右側面支持部らを具備して、前記内側支持板部及び前記左右側面支持部らで区画される前記装着空間を形成することを特徴とする請求項２に記載の着脱式ハードディスクを有する携帯用電子機器。
【請求項５】
前記装着口と隣接した前記左右側面支持部らの上部側には上側は幅が広くて下側に行くほど幅が細くなる左右一対のガイドリーブらを具備して、前記左右側面支持部らの下部側には前記左右側面支持部らから向かい合って内側に垂直するように折り畳まれて挿入される前記ハードディスクの下部を前後方向に搖れないように支持する規制板らを具備して、前記装着空間の最下端には前記リアケースから突き出されて、前記ハードディスクを挿入完了位置で停止させるストッパを具備することを特徴とする請求項４に記載の着脱式ハードディスクを有する携帯用電子機器。
【請求項６】
前記ハードディスクの一面を弾性支持するスプリング部と、このスプリング部に付着してスライディング挿入される前記ハードディスクとの接触摩擦を減少させる非金属性の絶縁潤滑材を具備する板スプリングをさらに含むことを特徴とする請求項２に記載の着脱式ハードディスクを有する携帯用電子機器。
【請求項７】
前記非金属性の絶縁潤滑材は潤滑性及び絶縁性を有する合成樹脂で構成されることを特徴とする請求項６に記載の着脱式ハードディスクを有する携帯用電子機器。
【請求項８】
前記電源断続手段は、前記ディスクカバーに形成された電源遮断突起と、前記電源遮断突起によって作動して前記コネクターへの電源をオン/オフする着脱感知センサーを具備することを特徴とする請求項２に記載の着脱式ハードディスクを有する携帯用電子機器。
【請求項９】
前記ディスクカバーの左右側面板らに形成された長孔らとこの長孔らを貫きながら、前記ハードディスクの両側面に固定された固定ピンらを具備して、
前記ハードディスクを前記装着空間から脱去時に前記固定ピンらで前記長孔らが移動しながら、前記ハードディスクの取り出しに先立って前記ディスクカバーが先に移動しながら、前記電源遮断突起が前記着脱感知センサーを先に作動させて前記コネクターへの電源供給を遮断して、
前記ハードディスクを前記装着空間で装着時に前記ハードディスクが、前記装着空間に完全に挿入された後に前記固定ピンらで前記長孔らが移動しながら前記ディスクカバーが完全に進入されながら、前記電源遮断突起が前記着脱感知センサーを作動させて前記コネクターに電源を供給することを特徴とする請求項８に記載の着脱式ハードディスクを有する携帯用電子機器。
【発明の詳細な説明】
【技術分野】
【０００１】
本発明はナビゲーション、動画再生、ＴＶ受信、ＭＰ３ファイル再生などの多様な機能らを提供する携帯用電子機器に関し、より詳細には、ハードディスクをスロットタイプ(slot type)の着脱式で構成して簡便に装着して使用することができる一方、ハードディスクの脱去に先立って電源供給を遮断して動作がなされて、また装着動作が完全に完了した後に電源が自動的に再開されるようにすることで、電圧衝撃による損傷を防止することができる着脱式ハードディスクを有する携帯用電子機器に関する。
【背景技術】
【０００２】
一般的に、携帯するかまたは車で移動しながら画面に地図、動画などの画像を表示する装置にはナビゲーション装置、ポータブルマルチメディアプレーヤー(ＰＭＰ)などが代表的である。このようなナビゲーション装置及びポータブルマルチメディアプレーヤーはナビゲーション、動画再生、ＴＶ受信、ＭＰ３ファイル再生などの多様な機能らを共有しているので、実質的に同一類似な機器として見られるし、それらは地図データ、映像などの外部データを利用するために読み込むか、またはデータを保存するために追加的なメモリー手段を具備する。このようなメモリー手段としては、ナビゲーション装置の特性に合うように小型化されたＳＤ(Secure Digital)カード、ＣＦ(Compact Flash memory)カード、メモリースティックなどの小型薄板のカード形態のメモリーが主流をなす。
【０００３】
ところが、今までナビゲーション装置にナビゲーション、ＴＶ受信、ＭＰ３プレーヤー、動画再生などの多様なマルチメディア機能を遂行するモジュールは提案されているが、大容量のデータを保存して、必要時に保存されたデータを提供するモジュールは開発されていない。使用者が地上波またはケーブルや衛星放送などを通じて受信したデータを保存しておこうとする場合には、従来には上に例示したカード形態のメモリーを利用してデータを保存しなければならないので、保存できるデータの量に限界があった。よって、膨大な量のデータを手軽く保存して、また保存したデータを読み込む作業が容易なデータ保存装置の必要性が頭をもたげている。
【０００４】
特に、ますますデータファイルの大きさは日々に大きくなっているし、例えば、車に装置するナビゲーション装置も多目的化されてナビゲーション機能以外にもＴＶ放送やデジタル動画(例えば、映画)のような視聴が可能になるように進化している。このような機能らを充実に支援するためには、ナビゲーション装置に大容量のファイルを支援できるように追加的な外部メモリー装置を簡単に連結することができる方案が切実に要求される。
【０００５】
しかし、上のカード型メモリーはその保存用量が小さくて大容量の映像などを保存することができず、それで、ナビゲーション装置で大容量のデータを利用しにくい制限があった。さらに、このようなカード型メモリーは高価であるだけでなく、その用量が大きくなるほど幾何級数的に製品の値段が上昇して使用に費用負担が大きい弱みを抱いている。これは大衆化に障害物として作用する大きい要因でもある。
【発明の開示】
【発明が解決しようとする課題】
【０００６】
したがって、本発明の目的は上述した諸欠点らを解消するために案出したものであり、大容量のハードディスクをスロットタイプ(slot type)の着脱式で構成して簡便に装着することで、大容量のデータを簡単に支援されることができるし、メモリーの価格的な負担を解消することができる着脱式ハードディスクを有する携帯用電子機器を提供することにある。
【０００７】
また、本発明の他の目的はハードディスクの脱去に先立って電源供給を遮断して動作がなされて、また装着時には装着動作が完全に完了した後に電源が自動的に再開されるようにすることで、電圧衝撃による損傷を防止することができる着脱式ハードディスクを有する携帯用電子機器を提供することにある。
【課題を解決するための手段】
【０００８】
前記目的を達成するための本発明による着脱式ハードディスクを有する携帯用電子機器は内部の装着空間と連通する装着口が一側方向に形成されて、前記装着空間の内側最下端にはコネクターが設けられるケースと、該ケースの装着口を通じて前記装着空間にスライディング挿入されて、端子らが装着完了時点で前記ケース内の前記コネクターと接続されるハードディスクと、及び前記ハードディスクの着脱動作を感知して前記ハードディスクの脱去に先立って電源を遮断する一方、前記ハードディスクの装着後に電源を供給する電源断続手段と、を含む。
【発明の効果】
【０００９】
本発明による着脱式ハードディスクを有する携帯用電子機器は、大容量のハードディスクをスロットタイプ(slot type)の着脱式で構成して簡便に装着することで、大容量のデータを簡単に支援されることができるし、他のメモリーに比べて比較的値段が安いハードディスクを簡便に利用することができてメモリーの値段的な負担を解消することができる效果がある。
【００１０】
これは大容量データの保存及び再生を容易に支援して携帯用電子機器の普及率を引き上げる效果を提供するはずであり、本製品の価格競争力を高めて大衆化に寄与することができる。例えば、特定チャンネルのＴＶ番組視聴中に使用者が一定時間の間該当のＴＶ番組に対する視聴が難しい場合、該当のＴＶ番組データをハードディスクに保存させた後、ハードディスクに保存された未視聴ＴＶ番組データをディスプレーすることで、使用者が他の用事によって視聴することができなかった部分のＴＶ番組に対しても視聴が可能である。
【００１１】
進んでは、本装置はハードディスクの脱去時にはハードディスクの脱去に先立って電源供給を遮断して動作がなされて、また装着時には装着動作が完全に完了した直後に電源が自動的に再開されるようにすることで、電圧衝撃による器機本体及びハードディスクの損傷をあらかじめ防止することができるようにする。
【発明を実施するための最良の形態】
【００１２】
以下では添付した図面らを参照して本発明の望ましい実施例に関して詳しく説明する。
【００１３】
図１は本発明による着脱式ハードディスクを有する携帯用電子機器の望ましい一実施例であるナビゲーション装置を示す斜視図であり、図２は図１の背面斜視図である。本発明のナビゲーション装置は車用及び携帯用ナビゲーション装置、ＰＭＰなどの携帯型マルチメディア機器を含んで、ここに装着されるハードディスクとしてはノートブックに使用される２．５インチハードディスクドライブ(ＨＤＤ)が望ましい。本実施例のナビゲーション装置は車用ナビゲーション装置を例示している。
【００１４】
本発明のナビゲーション装置１はケース１０の前面に図１のように画像が表示されるディスプレー部１２と、このディスプレー部１２に表示される画像の各種状態を設定するか、またはナビゲーション機能、動画再生、ＴＶ受信、ＭＰ３機能の設定のための機能ボタンら１４が設けられている。そして、ケース１０の背面にはハードディスク２０が装着される空間が上側を向けて開口されて装着口１６を形成している。この装着口１６を通じてハードディスク２０を上側から下側に垂直するように挿入させると、ハードディスク２０は安全にケース１０内に設けられた装着空間３０に装着される。この装着によってハードディスク２０は本装置の装着空間３０内で電気的な接続がなされて、電源供給はもちろん信号を取り交わすように連結される。図２は本装置１の背面を示すものであり、図２に示すようにハードディスク２０を挿入させるための装着口１６がケース１０背面の上側に設けられて、これを通じてハードディスク２０が垂直するように挿入されて、完全に挿入された状態でハードディスク２０の上端の一定部分がケース１０の背面に露出するようになっている。この露出したハードディスク２０の上端にはハードディスク２０を使用者が容易に取って装着するか、または脱去することができるように取っ手４２が設けられたディスクカバー４０が結合されている。これに対しては後でさらに詳細に説明する。
【００１５】
図３は本発明による着脱式ハードディスクを有するナビゲーション装置の全体構成を示す分離斜視図であり、図４は本装置のリアケース(rear case)の内側で見て示す図面である。また、図５は本装置の内部で見て本装置のハードディスクの着脱メカニズムを詳細に示す斜視図である。
【００１６】
本装置１の背面には上側にハードディスク２０を装着するための装着口１６が形成されているし、この装着口１６と連通して装置内部に装着空間３０が設けられている。この装着空間３０は望ましくは、図４で見るところのように装着口１６と隣接して装置のリアケース(rear case)５０上部の内側にリアケース５０板面と平行に板状体の内側支持板部５２を一体で形成して、この内側支持板部５２の下側にハードディスク２０の幅よりさらに離隔して、装着方向と平行に一対の左右側面支持部ら５４a、５４bをリアケース５０の板面で垂直にリアケース５０と一体で形成して、ハードディスク２０がスライディングしながら収納される空間に形成される。特に、左右側面支持部５４a、５４bは上部側にそれらの間の幅が上側は広くて下側に行くほど細くなるガイドリーブら５４a-１、５４b-１が両側に対向形成されて、ハードディスク２０の進入初期にハードディスク２０が左右両側のガイドリーブら５４a-１、５４b-１に案内されて容易に挿入されるようにする。このガイドリーブら５４a-１、５４b-１は図４に例示したところのように、上側から下側に行くほど次第に緩く、それらの間の幅が減少する曲線型が望ましい。また、左右側面支持部ら５４a、５４bの下部にはお互いに向かい合いながら内側を向けてそれらから垂直するように折り畳んで、装着されるハードディスク２０の下方側を規制してハードディスク２０が前後方向(Ｚ軸方向)に揺れることを規制する規制顎ら５４a-２、５４b-２が突き出ている。規制顎ら５４a-２、５４b-２は図面には左右一対が例示されているが、左右の左右側面支持部５４a、５４bに沿って上下で多くの対が一定間隔ごとに設置されても良くて、さらには左右側面支持部５４a、５４bに沿って連続的に全区間にかけて設置されても良い。規制顎ら５４a-２、５４b-２の下側に一定間隔離隔されて装着空間３０の下端には両側にストッパ(stopper)５６a、５６bが設けられてハードディスク２０が装着完了位置で正確に止めるようにして、さらにはハードディスク２０が止まり位置を超過して進入されることによってハードディスク２０と接続されるコネクター６０が破損されることを防止する。ストッパ５６a、５６bによって形成されるハードディスク２０の止まり位置はハードディスク２０とコネクター６０が完全に接続される状態から約１〜２mm程度の前でハードディスク２０を停止させるように、すなわちハードディスク２０の端子２２とコネクター６０が完全な噛み合いから１〜２mm程度及ぶことができなくかみ合った状態で接続されるように、ストッパ５６a、５６bを形成することが望ましい。
【００１７】
上で説明した左右側面支持部ら５４a、５４bはハードディスク２０の左右側面を支持してハードディスク２０が挿入時に左右方向(Ｘ軸方向)に揺れることを防止して、内側支持板部５２と規制顎ら５４a-２、５４b-２はハードディスク２０が前後方向(Ｚ軸方向)に揺れることを防止して、上下方向(Ｙ軸方向)にはストッパ５６a、５６bによっての下方向にスライディング挿入されるハードディスク２０が正確な止まり位置で停止して収納されるようにする。
【００１８】
上のように構成された装着空間３０の下端では印刷回路基板６２に固定されたコネクター６０が進入されて位置している。よって、ハードディスク２０がスライディング挿入されながら止まり位置の付近で自然的にハードディスク２０の端子ら２２がコネクター６０に進入されて接続されるようになる。
【００１９】
一方、装着空間３０の前方に配置される印刷回路基板６２には装着空間３０と対面する部位に板スプリング７０が装着されている。結果的に、この板スプリング７０は挿入装着されたハードディスク２０の一面と対面する位置にあるようになって、この板スプリング７０の左右側には装着方向と平行な方向に弾性を有して挿入されるハードディスク２０の対面部位を弾性支持するスプリング部ら７２a、７２bが形成される。スプリング部ら７２a、７２bは装着されるハードディスク２０の一面を弾性加圧しながら支持することによって、挿入時に揺れることがなしにスライディングするように誘導する。よって、スプリング部ら７２a、７２bは不可欠にハードディスク２０の一面に密着されるしかなくて、それによって摩擦が発生してスライディング挿入時にハードディスク２０の接触面に損傷があることがあるから、これを防止するためにスプリング部ら７２a、７２bの表面には潤滑性、柔軟性及び絶縁性を有する非金属性の絶縁潤滑材ら７４a、７４bがそれぞれ付着する。非金属性の絶縁潤滑材ら７４a、７４bの材質としては合成樹脂、例えばポリアセタール(ＰＯＭ；Polyoxymethylene)などが使用されることができるし、さらに進んでは、ゴム類や纎維類なども使用されることができる。このような絶縁潤滑材７４a、７４bは、ハードディスク２０の一面に構成された回路基板２４と接触されて装着時に摩擦を減少させることによって挿入動作による損傷を防止する。進んでは、この絶縁潤滑材７４a、７４bが装着されたスプリング部ら７２a、７２bによってハードディスク２０の装着時に前後方向での搖れを抑制する一方、電気的な衝撃(short)を防止する。
【００２０】
また、本装置はハードディスク２０を装置の装着空間３０に装着するか、または脱去時にこのような動作の遂行に合わせてハードディスク２０に供給される電源を遮断(off)させてハードディスク２０を電気的な衝撃から保護することはもちろん、本装置の全般的なシステムの安定化をはかっている。この機能を具現するためのメカニズムに対して後で詳細に説明する。
【００２１】
図６は図２のＡ-Ａ線方向から見て示すものであり、本装置で係止フックと係止溝の作用效果を説明するための動作説明図である。この図６及び上で既説明した図３を併行参照して本装置内にハードディスクを装着して固定する方法に対して詳しく説明する。
【００２２】
本装置はハードディスク２０が完全に装着空間に挿入されると、ディスクカバー４０に設けられた係止フック(hook)４４が、リアケース５０の内面に形成された係止溝５８にかみ合って結合される。その結果、ハードディスク２０を引っぱる一定大きさ以上の外力が作用しなければハードディスク２０は本装置から離脱しなくなるものである。この係止フック４４と係止溝５８はそのふたつのうちで少なくともいずれか一側に装着方向及び脱去方向に曲面や傾斜面を与えて使用者がディスクカバー４０の取っ手４２を取ってある程度の力で引っぱれば、係止溝５８から係止フック４４が離脱するように設計される。勿論、係止フック４４は弾性を有して後方にすこし滞るように構成されるか、またはそれともハードディスク２０が前後方向に板スプリング７０によって弾性支持されているので、ハードディスク２０全体がすこし後方に押されて上の動作を支援する。
【００２３】
図７及び図８は本装置でハードディスクカバーとハードディスクの結合構造及び自動電源断続メカニズムをさらに詳細に説明するための図面らである。図９は本装置でハードディスクの脱去時の動作を説明するための図面であり、図１０は本装置でハードディスクが脱去される状態を示す背面図である。また、図１１は本装置にハードディスクの装着時の動作を説明するための図面であり、図１２は本装置にハードディスクが装着された状態を示す背面図である。この図面らを参照して本装置の装着及び脱去時の動作に対して詳しく説明する。
【００２４】
ハードディスク２０とディスクカバー４０はハードディスク２０の脱着方向に一定距離がお互いに遠くなるか、または近くなるように結合されている。すなわち、ディスクカバー４０はハードディスク２０の前面及び両側面を囲む形態で形象化されて、その前面板４０-１には係止フック４４が延長形成されていて、上面板４０-２には取っ手４２が設けられているし、その両側には長孔ら４６a、４６bが形成された左右測板部４０-３、４０-４が形成されている。この左右測板部４０-３、４０-４の長孔ら４６a、４６bには固定ピン２６a、２６bが貫通されてハードディスク２０に固定されている。よって、ディスクカバー４０は固定ピン２６a、２６bから長孔ら４６a、４６bが移動することで、その左右測板部４０-３、４０-４の長孔の長さ程度にハードディスク２０から近くなるか、または遠くなるようになる。これはハードディスク２０の着脱時にハードディスク２０に供給される電源を安全に統制するために必要な構成及び動作であり、これに加えてディスクカバー４０の一側には電源遮断突起４８が突き出されているし、この電源遮断突起４８によって作動してコネクター６０に供給される電源をオン/オフ(on/off)する着脱感知センサー８０を本装置の装着空間３０内に用意して電源断続手段を構成している。この着脱感知センサー８０は、例えば、電源オン/オフスィッチやリミットスィッチ(limit switch)で構成されることができる。それによって、ハードディスク２０の装着時に装着が完了した後、ディスクカバー４０の電源遮断突起４８が着脱感知センサー８０を加圧して電源をオンさせて、ハードディスク２０の脱去時にはハードディスク２０の端子２２とコネクター６０の分離に先立って電源遮断突起４８が先に着脱感知センサー８０から離隔されて電源をオフさせるようになる。上の固定ピン２６a、２６bではスクリューを使用することが望ましい。
【００２５】
ハードディスク２０の着脱動作に対してさらに具体的に説明すると、ハードディスク２０の脱去時にディスクカバー４０の取っ手４２を引っぱれば、図９に示すようにハードディスク２０の両側面に固定された固定ピン２６a、２６bから左右測板部４０-３、４０-４の長孔ら４６a、４６bが移動しながらディスクカバー４０が先に長孔の長さ程度に動いて、その結果、着脱感知センサー８０を押していた電源遮断突起４８も移動して着脱感知センサー８０をオフさせてコネクター６０に供給される電源を遮断するようになる。続いて、取っ手４２を引っぱればディスクカバー４０は長孔ら４６a、４６bの下側端で固定ピン２６a、２６bにかかりながらディスクカバー４０とハードディスク２０が共に取り出されて装着空間３０から脱去されるようになる。
【００２６】
反対に、ハードディスク２０の装着時にディスクカバー４０の取っ手４２を取って垂直するように立てて装着空間３０に挿入するようになれば、図１１で見るようにディスクカバー４０の長孔ら４６a、４６bの下側端が固定ピンら２６a、２６bにかかってディスクカバー４０とハードディスク２０が遠くなった結合状態で装着空間３０に進入される。ハードディスク２０が装着空間３０に挿入されてハードディスク２０の端子２２とコネクター６０が結合されてから、続いて押し入れれば、ディスクカバー４０はハードディスク２０上で長孔ら４６a、４６bの下側端から上側端まで固定ピンら２６a、２６bを移動するようになって、その結果、最後に電源遮断突起４８が着脱感知センサー８０を加圧してオンさせることで、すでに端子２２と連結されているコネクター６０に電源を供給するようになる。
【００２７】
一方で、本装置でハードディスク２０を脱去して、例えばナビゲーション機能、ＴＶ受信などを利用する場合には、ハードディスク２０が装着される装着口１６にハードディスク２０が結合されないディスクカバー４０のみを結合させておくことが望ましい。このようなディスクカバー４０はハードディスク２０に結合されていることを分離して使用することもできるが、追加的に１個さらに余分で具備することが便宜上望ましい。
【００２８】
以上、望ましい実施例では車用ナビゲーション装置を例示して説明したが、ナビゲーション装置以外にも移動型、例えば携帯用端末機、ＰＭＰ、ＤＭＢなどにも本技術が適用されることができるし、ハードディスクの上側から下側に上下方向にだけでなく、水平方向にも簡単に方向のみを変更する程度で変形実施することができる。よって、本発明はこのような器機種類の変更及び装着方向の変更をすべて含む。
【００２９】
ここで開示される実施例はさまざまな実施可能な例のうちで、当業者の理解を助けるために一番望ましい例を選定して提示したことだけであり、本発明の技術的思想が必ずこの実施例のみによって限定されるか、または制限されるものではなくて、本発明の技術的思想を脱しない範囲内で多様な変化と変更が可能なことはもちろん、均等な他の実施例が可能である。
【図面の簡単な説明】
【００３０】
【図１】本発明による着脱式ハードディスクを有する携帯用電子機器の望ましい一実施例であるナビゲーション装置を示す斜視図である。
【図２】図１を背面から見た斜視図である。
【図３】本発明の内部構造を示す分離斜視図である。
【図４】本装置のリアケースの内側で見て示す図面である。
【図５】本装置の内部で見て本装置のハードディスク着脱メカニズムを詳細に示す斜視図である。
【図６】本装置で係止フックと係止溝の作用效果を説明するための動作説明図である。
【図７】本装置でハードディスクカバーとハードディスクの結合構造及び自動電源断続メカニズムをさらに詳細に説明するための図面である。
【図８】同じく、本装置でハードディスクカバーとハードディスクの結合構造及び自動電源断続メカニズムをさらに詳細に説明するための図面である。
【図９】本装置でハードディスクの脱去時の動作を説明するための図面である。
【図１０】本装置でハードディスクが脱去される状態を示す背面図である。
【図１１】本装置にハードディスクの装着時の動作を説明するための図面である。
【図１２】本装置にハードディスクが装着された状態を示す背面図である。
【符号の説明】
【００３１】
１  ナビゲーション装置
１０  ケース
１２  ディスプレー部
１４  機能ボタン
１６  装着口
２０  ハードディスク
２２  端子
２４  回路基板
２６a、２６b  固定ピン
３０  装着空間
４０  ディスクカバー
４２  取っ手
４４  係止フック
４６a、４６b  長孔
４８  電源遮断突起
５０  リアケース
５２  内側支持板部
５４a、５４b  左右側面支持部
５６a、５６b  ストッパ
５８  係止溝
６０  コネクター
６２  印刷回路基板
７０  板スプリング
７２a、７２b  スプリング部
７４a、７４b  絶縁潤滑材
８０  着脱感知センサー
【図１】
2008016167.tif 000003
【図２】
2008016167.tif 000004
【図３】
2008016167.tif 000005
【図４】
2008016167.tif 000006
【図５】
2008016167.tif 000007
【図６】
2008016167.tif 000008
【図７】
2008016167.tif 000009
【図８】
2008016167.tif 000010
【図９】
2008016167.tif 000011
【図１０】
2008016167.tif 000012
【図１１】
2008016167.tif 000013
【図１２】
2008016167.tif 000014